(57)【特許請求の範囲】
【請求項１】
圧縮機と共に冷凍サイクルを構成し冷却運転時に蒸発器として働き庫内の空気を冷却する庫内熱交換器と、前記庫内熱交換器により冷却された空気が前記庫内を循環するように送風する回転数可変の庫内ファンと、庫内温度を検出する庫内温度検出手段と、前記圧縮機と前記庫内ファンの運転を制御する運転制御手段とを有し、前記運転制御手段は、節電運転中は前記圧縮機と前記庫内ファンの運転を停止し、前記節電運転が終了すると前記圧縮機の運転を開始し、前記庫内ファンに対しては、前記節電運転終了により前記圧縮機が運転を開始してから所定時間経過するまでの間は前記庫内ファンの回転数を通常の前記庫内ファン運転時の回転数よりも低く抑え、前記節電運転終了時に前記庫内温度検出手段により検出した庫内温度が高いほど、前記節電運転終了により前記圧縮機が運転を開始してから所定時間経過するまでの間の前記庫内ファンの回転数を低くすると共に、前記庫内ファンの回転数を通常の前記庫内ファン運転時の回転数よりも低く抑える前記所定時間を長くすることを特徴とする物品冷却装置。
【請求項２】
外気温を検出する外気温検出手段を有し、前記運転制御手段は、前記節電運転終了時に前記外気温検出手段により検出した外気温が高いほど、前記節電運転終了により前記圧縮機が運転を開始してから所定時間経過するまでの間の前記庫内ファンの回転数を低くすると共に、前記庫内ファンの回転数を通常の前記庫内ファン運転時の回転数よりも低く抑える前記所定時間を長くすることを特徴とする請求項１に記載の物品冷却装置。
【請求項３】
前記節電運転による前記圧縮機の停止時間を計測する圧縮機停止時間計測手段を有し、前記運転制御手段は、前記節電運転終了時に前記圧縮機停止時間計測手段により計測した前記節電運転による前記圧縮機の停止時間が長いほど、前記節電運転終了により前記圧縮機が運転を開始してから所定時間経過するまでの間の前記庫内ファンの回転数を低くすると共に、前記庫内ファンの回転数を通常の前記庫内ファン運転時の回転数よりも低く抑える前記所定時間を長くすることを特徴とする請求項１に記載の物品冷却装置。
【請求項４】
前記庫内熱交換器の温度を検出する庫内熱交換器温度検出手段を有し、前記運転制御手段は、前記節電運転終了時に前記庫内熱交換器温度検出手段により検出した前記庫内熱交換器の温度が高いほど、前記節電運転終了により前記圧縮機が運転を開始してから所定時間
経過するまでの間の前記庫内ファンの回転数を低くすると共に、前記庫内ファンの回転数を通常の前記庫内ファン運転時の回転数よりも低く抑える前記所定時間を長くすることを特徴とする請求項１に記載の物品冷却装置。
【請求項５】
前記運転制御手段は、前記節電運転終了後の前記庫内ファンの回転数を段階的に増加させることを特徴とする請求項１から４のいずれか１項に記載の物品冷却装置。
【請求項６】
前記運転制御手段は、前記節電運転終了後の前記庫内ファンの運転開始を前記圧縮機の運転開始よりも前記所定時間よりも短い所定の遅延時間だけ遅らせることを特徴とする請求項１から５のいずれか１項に記載の物品冷却装置。
【請求項７】
前記運転制御手段は、前記節電運転終了後は所定条件が満たされるまで、前記圧縮機を強制的に運転することを特徴とする請求項１から６のいずれか１項に記載の物品冷却装置。
【請求項８】
前記圧縮機に回転数可変のインバータ圧縮機を用い、前記運転制御手段は、前記節電運転終了後は所定条件が満たされるまで、予め設定された回転数で運転することを特徴とする請求項１から７のいずれか１項に記載の物品冷却装置。
【請求項９】
庫内が複数有り、複数の前記庫内のそれぞれに前記庫内熱交換器と前記庫内ファンを有することを特徴とする請求項１から８のいずれか１項に記載の物品冷却装置。
【請求項１０】
請求項１から請求項９のいずれか１項の物品冷却装置を備えた自動販売機。
【発明の詳細な説明】
【技術分野】
【０００１】
本発明は、節電運転中に冷却運転を停止する物品冷却装置とそれを備えた自動販売機に関するものである。
【背景技術】
【０００２】
一般に缶入り飲料等の冷却された商品を販売する自動販売機では、圧縮機と共に冷凍サイクルを構成する庫内熱交換器で冷却された空気を庫内ファンにより送風して庫内の商品を冷却している。
【０００３】
近年、日本国内に設置されているこの種の自動販売機では、夏場の電力需要を平準化するために、７〜９月の３ヶ月間の平日は、電力需要の少ない午前中から午後１時までの間に商品を冷やし込み、午後１〜４時の３時間は冷却装置の運転を停止する節電運転を行っている。
【０００４】
ところで、冷凍サイクルの運転が長時間停止されると、その運転の停止中に、庫内熱交換器内の液冷媒はほとんど蒸発し、それに伴って庫外熱交換器内の液冷媒も庫内熱交換器に流入して蒸発するようになるため、冷凍サイクル内はガス冷媒のみの状態となる。
【０００５】
このため、冷凍サイクルの運転が長時間停止される節電運転終了後に圧縮機の運転が再開されても、庫内熱交換器には、しばらく液冷媒が供給されないため、庫内熱交換器が周囲の空気を冷却できる状態になるまで時間がかかる。
【０００６】
しかしながら、庫内ファンは圧縮機の運転開始に同期して運転されるため、庫内熱交換器により冷却されていない空気が庫内に送風されることとなり、庫内ファンの運転が無駄であるばかりか、かえって商品を暖めることになってしまうという不具合を生ずる。
【０００７】
そこで、庫内熱交換器が周囲の空気を冷却できる状態になる時期を考慮して、圧縮機の長時間停止後の庫内ファンの運転を、圧縮機の運転開始時点から遅延時間をおいて開始させることが提案されている（例えば、特許文献１参照）。
【先行技術文献】
【特許文献】
【０００８】
【特許文献１】特開平１０−０８３４８２号公報
【発明の概要】
【発明が解決しようとする課題】
【０００９】
しかしながら、上記特許文献１に記載の従来の自動販売機では、庫内ファンの運転中の回転数が一定で、圧縮機の長時間停止後の庫内ファンの運転を、圧縮機の運転開始時点から遅延時間をおいて開始させているため、庫内ファンの運転開始直前の頃には庫内熱交換器に充分な量の液冷媒が供給されているにもかかわらず、庫内ファンが停止しているために庫内熱交換器に供給された液冷媒が庫内熱交換器を介して庫内熱交換器の周囲の空気と充分な熱交換ができない。
【００１０】
そのため、庫内熱交換器において蒸発しきらない液冷媒の割合が増え、蒸発しきらない液冷媒が圧縮機に戻って圧縮機が液圧縮により寿命を縮めてしまうという課題を有していた。  本発明は、上記従来の課題を解決するものであり、節電運転による圧縮機の長時間停止後に、庫内ファンの運転で庫内の物品を暖めてしまう不具合の発生を抑えながら、庫
内熱交換器において蒸発しきらない液冷媒が圧縮機に戻って圧縮機の寿命を縮めないようにすることができる物品冷却装置とそれを備えた自動販売機を提供することを目的とする。
【課題を解決するための手段】
【００１１】
上記目的を達成するために、本発明の物品冷却装置は、運転制御手段が、節電運転中は圧縮機と庫内ファンの運転を停止し、前記節電運転が終了すると前記圧縮機の運転を開始し、前記庫内ファンに対しては、前記節電運転終了により前記圧縮機が運転を開始してから所定時間経過するまでの間は前記庫内ファンの回転数を通常の前記庫内ファン運転時の回転数よりも低く抑えるのである。
【００１２】
上記構成において、庫内ファンに回転数可変の庫内ファンを用いており、節電運転終了により圧縮機が運転を開始してから所定時間経過するまでの間は、運転制御手段が庫内ファンの回転数を通常の庫内ファン運転時の回転数よりも低く抑える。
【００１３】
そのため、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにすることができる。
【発明の効果】
【００１４】
本発明によれば、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにすることができる。
【図面の簡単な説明】
【００１５】
【図１】本発明の実施の形態１における物品冷却装置を備えた自動販売機の本体内部構造を示す概略構成図
【図２】同実施の形態の自動販売機の冷凍サイクルの構成図
【図３】同実施の形態の自動販売機の制御系を示すブロック図
【図４】同実施の形態の自動販売機の節電運転後の圧縮機の運転状態と各庫内ファンの回転数の関係を示すタイムチャート
【図５】同実施の形態の自動販売機の運転制御手段による節電運転終了を検知してからの制御を示すフローチャート
【図６】同実施の形態の自動販売機の運転制御手段による節電運転終了を検知してからの制御の他の例を示すフローチャート
【図７】同実施の形態の自動販売機の運転制御手段による節電運転終了を検知してからの制御のさらに別の例を示すフローチャート
【図８】同実施の形態の自動販売機の運転制御手段による節電運転終了を検知してからの制御の別のもう一つの例を示すフローチャート
【図９】本発明の実施の形態２における物品冷却装置を備えた自動販売機の節電運転後の圧縮機の運転状態と各庫内ファンの回転数の関係を示すタイムチャート
【図１０】本発明の実施の形態３における物品冷却装置を備えた自動販売機の節電運転後の圧縮機の運転状態と各庫内ファンの回転数の関係を示すタイムチャート
【図１１】同実施の形態の自動販売機の運転制御手段による節電運転終了を検知してからの制御を示すフローチャート
【発明を実施するための形態】
【００１６】
第１の発明は、圧縮機と共に冷凍サイクルを構成し冷却運転時に蒸発器として働き庫内の空気を冷却する庫内熱交換器と、前記庫内熱交換器により冷却された空気が前記庫内を循環するように送風する回転数可変の庫内ファンと、庫内温度を検出する庫内温度検出手段と、前記圧縮機と前記庫内ファンの運転 を制御する運転制御手段とを有し、前記運転制
御手段が、節電運転中は前記圧縮機と前記庫内ファンの運転を停止し、前記節電運転が終了すると前記圧縮機の運転を開始し、前記庫内ファンに対しては、前記節電運転終了により前記圧縮機が運転を開始してから所定時間経過するまでの間は前記庫内ファンの回転数を通常の前記庫内ファン運転時の回転数よりも低く抑え、前記節電運転終了時に前記庫内温度検出手段により検出した庫内温度が高いほど、前記節電運転終了により前記圧縮機が運転を開始してから所定時間経過するまでの間の前記庫内ファンの回転数を低くすると共に、前記庫内ファンの回転数を通常の前記庫内ファン運転時の回転数よりも低く抑える前記所定時間を長くすることを特徴とする物品冷却装置である。
【００１７】
上記構成の物品冷却装置は、庫内ファンに回転数可変の庫内ファンを用いており、節電運転終了により圧縮機が運転を開始してから所定時間経過するまでの間は、運転制御手段が庫内ファンの回転数を通常の庫内ファン運転時の回転数よりも低く抑える。
【００１８】
そのため、節電運転終了により、圧縮機の運転開始に同期して庫内ファンが通常運転時の回転数で運転開始する場合に比べて、圧縮機が運転を開始してから所定時間経過するまでの間は庫内ファンの回転数を低く抑えている分、庫内熱交換器により充分に冷却されずに庫内に送風される空気の量は少なく、また、庫内熱交換器を通過する空気の流れが遅いことにより庫内熱交換器を通過する空気が庫内熱交換器で熱交換する時間が長くなって庫内熱交換器により冷却されやすくなる。
【００１９】
ゆえに、庫内ファンの運転で庫内熱交換器により冷却されていない空気が庫内に送風されて、庫内の物品を暖めてしまう不具合の発生を抑えることができる。
【００２０】
また、庫内ファンを通常運転時の回転数で運転する前に、回転数を低く抑えながらも庫内ファンを運転するので、圧縮機の運転開始により徐々に庫内熱交換器への供給量が増加していく液冷媒は庫内熱交換器を介して庫内熱交換器の周囲の空気と熱交換でき、圧縮機が運転を開始してから所定時間経過し庫内熱交換器に充分な量の液冷媒が供給される頃には、庫内ファンを通常運転時の回転数で運転しているので、充分な供給量になった液冷媒も庫内熱交換器を介して庫内熱交換器の周囲の空気と熱交換できることになる。
【００２１】
ゆえに、庫内熱交換器において蒸発しきらない液冷媒が圧縮機に戻って圧縮機の寿命を縮めないようにすることができる。
【００２３】
また、一般に、節電運転終了時の庫内温度が高くなるほど、庫内熱交換器が充分な低温になるのに時間がかかると共に、液冷媒が庫内熱交換器で蒸発しやすくなる。
【００２４】
そのため、節電運転終了時の庫内温度が高いほど、節電運転終了により圧縮機が運転を開始してから所定時間経過するまでの間の庫内ファンの回転数を低くすると共に、庫内ファンの回転数を通常の庫内ファン運転時の回転数よりも低く抑える所定時間を長くすることにより、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにする効果を、より高めることができる。
【００２５】
第２の発明は、特に第１の発明に加えて、外気温を検出する外気温検出手段を有し、前記運転制御手段が、前記節電運転終了時に前記外気温検出手段により検出した外気温が高いほど、前記節電運転終了により前記圧縮機が運転を開始してから所定時間経 
過するまでの間の前記庫内ファンの回転数を低くすると共に、前記庫内ファンの回転数を通常の前記庫内ファン運転時の回転数よりも低く抑える前記所定時間を長くすることを特徴とする。
【００２６】
一般に、節電運転終了時の外気温が高くなるほど、節電運転終了時の庫内温度が高く、庫内の冷却が難しい傾向にあるので、節電運転終了時の外気温が高くなるほど、庫内熱交換器が充分な低温になるのに時間がかかると共に、液冷媒が庫内熱交換器で蒸発しやすくなると考えられる。
【００２７】
そのため、節電運転終了時の外気温が高いほど、節電運転終了により圧縮機が運転を開始してから所定時間経過するまでの間の庫内ファンの回転数を低くすると共に、庫内ファンの回転数を通常の庫内ファン運転時の回転数よりも低く抑える所定時間を長くすることにより、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにする効果を、より高めることができる。
【００２８】
第３の発明は、特に第１の発明に加えて、前記節電運転による前記圧縮機の停止時間を計測する圧縮機停止時間計測手段を有し、前記運転制御手段が、前記節電運転終了時に前記圧縮機停止時間計測手段により計測した前記節電運転による前記圧縮機の停止時間が長いほど、前記節電運転終了により前記圧縮機が運転を開始してから所定時間経過するまでの間の前記庫内ファンの回転数を低くすると共に、前記庫内ファンの回転数を通常の前記庫内ファン運転時の回転数よりも低く抑える前記所定時間を長くすることを特徴とする。
【００２９】
一般に、節電運転による圧縮機の停止時間が長くなるほど、節電運転終了時の庫内温度は外気温により近い温度に上昇する傾向にあるので、節電運転による圧縮機の停止時間が長くなるほど、庫内熱交換器が充分な低温になるのに時間がかかると共に、液冷媒が庫内熱交換器で蒸発しやすくなると考えられる。
【００３０】
そのため、節電運転による圧縮機の停止時間が長いほど、節電運転終了により圧縮機が運転を開始してから所定時間経過するまでの間の庫内ファンの回転数を低くすると共に、庫内ファンの回転数を通常の庫内ファン運転時の回転数よりも低く抑える所定時間を長くすることにより、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにする効果を、より高めることができる。
【００３１】
第４の発明は、特に第１の発明に加えて、前記庫内熱交換器の温度を検出する庫内熱交換器温度検出手段を有し、前記運転制御手段が、前記節電運転終了時に前記庫内熱交換器温度検出手段により検出した前記庫内熱交換器の温度が高いほど、前記節電運転終了により前記圧縮機が運転を開始してから所定時間経過するまでの間の前記庫内ファンの回転数を低くすると共に、前記庫内ファンの回転数を通常の前記庫内ファン運転時の回転数よりも低く抑える前記所定時間を長くすることを特徴とする。 
【００３２】
一般に、節電運転終了時の庫内熱交換器の温度が高くなるほど、節電運転終了時の庫内温度が高く、庫内の冷却が難しい傾向にあるので、節電運転終了時の庫内熱交換器の温度が高くなるほど、庫内熱交換器が充分な低温になるのに時間がかかると共に、液冷媒が庫内熱交換器で蒸発しやすくなると考えられる。
【００３３】
そのため、節電運転終了時の庫内熱交換器の温度が高いほど、節電運転終了により圧縮
機が運転を開始してから所定時間経過するまでの間の庫内ファンの回転数を低くすると共に、庫内ファンの回転数を通常の庫内ファン運転時の回転数よりも低く抑える所定時間を長くすることにより、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにする効果を、より高めることができる。
【００３４】
第５の発明は、特に第１から第４の発明において、前記運転制御手段が、前記節電運転終了後の前記庫内ファンの回転数を段階的に増加させることを特徴とする。 
【００３５】
一般に、節電運転による圧縮機の長時間停止後の圧縮機の運転開始直後からしばらくの間は、庫内熱交換器に液冷媒が供給されず、時間の経過にしたがって徐々に庫内熱交換器への液冷媒の供給量が増加していき、庫内熱交換器への液冷媒の供給量に比例するように庫内熱交換器による冷却能力が高まっていく。
【００３６】
そのため、節電運転終了後の庫内ファンの回転数を段階的に増加させることにより、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにする効果を、より高めることができる。
【００３７】
第６の発明は、特に第１から第５の発明において、前記運転制御手段が、前記節電運転終了後の前記庫内ファンの運転開始を前記圧縮機の運転開始よりも前記所定時間よりも短い所定の遅延時間だけ遅らせることを特徴とする。
【００３８】
一般に、節電運転による圧縮機の長時間停止後の圧縮機の運転開始直後からしばらくの間は、庫内熱交換器に液冷媒が供給されず、時間の経過にしたがって徐々に庫内熱交換器への液冷媒の供給量が増加していき、庫内熱交換器への液冷媒の供給量に比例するように庫内熱交換器による冷却能力が高まっていく。
【００３９】
そのため、圧縮機の運転開始直後の庫内熱交換器に液冷媒がほとんど供給されていないうちは、庫内ファンを停止させていても、庫内熱交換器において蒸発しきらない液冷媒が圧縮機に戻って圧縮機の寿命を縮める虞はない。
【００４０】
また、節電運転終了後の庫内ファンの運転開始を圧縮機の運転開始よりも所定時間よりも短い所定の遅延時間だけ遅らせると、節電運転終了直後の庫内熱交換器で冷却されていない空気流で庫内の物品を暖めてしまうこともなく、圧縮機の運転開始に同期して庫内ファンの運転を開始した場合に比べて、庫内熱交換器の温度を早く下げることができる。
【００４１】
また、圧縮機よりも所定の遅延時間だけ遅れて運転を開始した庫内ファンは、圧縮機が運転を開始してから所定時間経過するまでは通常の庫内ファン運転時の回転数よりも低く抑えるので、節電運転終了後の庫内ファンの回転数を段階的に増加させる第６の発明と同様の効果も有する。
【００４２】
したがって、遅延時間を適切に設定することにより、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにする効果を、第５の発明よりも高めることができる。
【００４３】
第７の発明は、特に第１から第６の発明において、前記運転制御手段が、前記節電運転終了後は所定条件が満たされるまで、前記圧縮機を強制的に運転することを特徴とする。
【００４４】
これにより、節電運転による圧縮機の長時間停止により温度上昇した庫内及び庫内の物品を早く冷却することができ、庫内の温度分布が不均一であったり、庫内に比較的冷却されにくい物品があった場合でも、庫内及び庫内の物品を早く充分に冷却でき、特に物品が食品の場合は、節電運転後の充分な冷却運転で品質を維持することができる。
【００４５】
第８の発明は、特に第１から第７の発明において、前記圧縮機に回転数可変のインバータ圧縮機を用い、前記運転制御手段が、前記節電運転終了後は所定条件が満たされるまで、予め設定された回転数で運転することを特徴とする。
【００４６】
これにより、一定速の圧縮機を強制的に連続運転する場合と同等以上の冷却能力が得られるように、予め設定された回転数を適切に設定することにより、節電運転による圧縮機の長時間停止により温度上昇した庫内及び庫内の物品を早く冷却することができ、庫内の温度分布が不均一であったり、庫内に比較的冷却されにくい物品があった場合でも、庫内及び庫内の物品を早く充分に冷却でき、特に物品が食品の場合は、節電運転後の充分な冷却運転で品質を維持することができる。
【００４７】
第９の発明は、特に第１から第８の発明において、庫内が複数有り、複数の前記庫内のそれぞれに前記庫内熱交換器と前記庫内ファンを有することを特徴とするものであり、庫内が複数有り、複数の前記庫内のそれぞれに前記庫内熱交換器と前記庫内ファンを有する場合でも、複数の庫内のそれぞれを考慮して、節電運転による圧縮機の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにすることができる。
【００４８】
第１０の発明は、第１から第９の発明の物品冷却装置を備えた自動販売機であり、節電運転による圧縮機の長時間停止後に、庫内ファンの運転で庫内の販売商品を暖めてしまう不具合の発生を抑えながら、庫内熱交換器において蒸発しきらない液冷媒が圧縮機に戻って圧縮機の寿命を縮めないようにすることができ、特に節電運転を行う飲料自動販売機で実用的である。
【００４９】
以下、本発明の物品冷却装置とそれを備えた自動販売機の実施の形態について、図面を参照しながら説明する。なお、この実施の形態によって、本発明が限定されるものではない。
【００５０】
（実施の形態１）
図１は本発明の実施の形態１における物品冷却装置を備えた自動販売機の本体内部構造を示す概略構成図、図２は同実施の形態の自動販売機の冷凍サイクルの構成図、図３は同実施の形態の自動販売機の制御系を示すブロック図、図４は同実施の形態の自動販売機の節電運転後の圧縮機の運転状態と各庫内ファンの回転数の関係を示すタイムチャート、図５は同実施の形態の自動販売機の運転制御手段による節電運転終了を検知してからの制御を示すフローチャートである。
【００５１】
図６は同実施の形態の自動販売機の運転制御手段による節電運転終了を検知してからの制御の他の例を示すフローチャート、図７は同実施の形態の自動販売機の運転制御手段による節電運転終了を検知してからの制御のさらに別の例を示すフローチャート、図８は同実施の形態の自動販売機の運転制御手段による節電運転終了を検知してからの制御の別のもう一つの例を示すフローチャートである。
【００５２】
図１に示すように、本発明の実施の形態１における物品冷却装置を備えた自動販売機２
１は、断熱隔壁２２により左右に区画された左庫内Ａ、中庫内Ｂ、右庫内Ｃを備え、それぞれに販売する商品を収納する商品収納コラム２３Ａ，２３Ｂ，２３Ｃを有し、各商品収納コラム２３Ａ，２３Ｂ，２３Ｃ内には、それぞれコラム内の温度（庫内温度）を測定する庫内コラム内温度センサ４１Ａ，４１Ｂ，４１Ｃを有する。
【００５３】
また、自動販売機２１は、自動販売機２１の周囲温度を検出するための外気温度センサ１００と、自動販売機全体を制御するためのコントローラ２７、圧縮機等の冷却装置及び商品排出機構等が内蔵された機構部２６を備えている。
【００５４】
図２に示すように、左庫内Ａに対しては、左庫内Ａの空気を冷却または加温する庫内熱交換器５１Ａ、左庫内Ａの空気を循環させる庫内ファン６１Ａ、左庫内Ａをヒートポンプ運転以外で加温するヒータ６２Ａ、冷凍サイクルの液冷媒を絞り膨張させるキャピラリチューブ９３Ａ、庫内熱交換器５１Ａが冷却時に蒸発器となりヒートポンプ運転での加温時に凝縮器となるように冷凍サイクルの冷媒流路を切替える四方弁９２、左庫内Ａ用の冷凍サイクルのインバータ圧縮機７１Ａ、庫内熱交換器５１Ａの温度を検出する庫内熱交換器温度センサ１０１Ａが設けられている。
【００５５】
また、中庫内Ｂに対しては、中庫内Ｂの空気を冷却する庫内熱交換器５１Ｂ、中庫内Ｂの空気を循環させる庫内ファン６１Ｂ、中庫内Ｂを加温するヒータ６２Ｂ、冷凍サイクルの液冷媒を絞り膨張させるキャピラリチューブ９３Ｂ、キャピラリチューブ９３Ｂを介して庫内熱交換器５１Ｂに冷媒を流す流さないを切替えるための三方弁９４、中庫内Ｂと右庫内Ｃの兼用の冷凍サイクルの一定速圧縮機７１Ｂ、庫内熱交換器５１Ｂの温度を検出する庫内熱交換器温度センサ１０１Ｂが設けられている。
【００５６】
また、右庫内Ｃに対しては、右庫内Ｃの空気を冷却する庫内熱交換器５１Ｃ、右庫内Ｃの空気を循環させる庫内ファン６１Ｃ、三方弁９４から庫内熱交換器５１Ｂを経由せずに庫内熱交換器５１Ｃに流れる液冷媒を絞り膨張させるキャピラリチューブ９３Ｃ、中庫内Ｂと右庫内Ｃの兼用の冷凍サイクルの一定速圧縮機７１Ｂ、庫内熱交換器５１Ｃの温度を検出する庫内熱交換器温度センサ１０１Ｃが設けられている。
【００５７】
また、機構部２６（庫外の機械室）には、庫外熱交換器８１と、庫外熱交換器８１に送風する庫外ファン８２が設けられている。なお、庫外熱交換器８１は、インバータ圧縮機７１Ａを有する左庫内Ａ用の冷凍サイクルの庫外熱交換器と、一定速圧縮機７１Ｂを有する中庫内Ｂと右庫内Ｃの兼用の冷凍サイクルの庫外熱交換器とが一体に構成されたものである。
【００５８】
なお、左庫内Ａ用の冷凍サイクルは、インバータ圧縮機７１Ａと四方弁９２と庫外熱交換器８１とキャピラリチューブ９３Ａと庫内熱交換器５１Ａとが環状に連接された構成である。
【００５９】
そして、左庫内Ａを冷却する場合は、インバータ圧縮機７１Ａから吐出された高温高圧の冷媒が、四方弁９２を経由して、庫外熱交換器８１で凝縮し、キャピラリチューブ９３Ａで減圧され、庫内熱交換器５１Ａで蒸発し、再び四方弁９２を経由してインバータ圧縮機７１Ａに戻る。
【００６０】
また、左庫内Ａをヒートポンプ運転で加温する場合は、インバータ圧縮機７１Ａから吐出された高温高圧の冷媒が、四方弁９２を経由して、庫内熱交換器５１Ａで凝縮し、キャピラリチューブ９３Ａで減圧され、庫外熱交換器８１で蒸発し、再び四方弁９２を経由してインバータ圧縮機７１Ａに戻る。
【００６１】
また、中庫内Ｂと右庫内Ｃの兼用の冷凍サイクルは、一定速圧縮機７１Ｂと庫外熱交換器８１と三方弁９４とキャピラリチューブ９３Ｃと庫内熱交換器５１Ｃとが順次環状に連接され、さらに、庫内熱交換器５１Ｂの冷媒の入口側がキャピラリチューブ９３Ｂを介して三方弁９４のもう一つの出口側に接続され、庫内熱交換器５１Ｂの冷媒の出口側がキャピラリチューブ９３Ｃと庫内熱交換器５１Ｃとの間の冷媒配管に接続された構成である。
【００６２】
そして、中庫内Ｂと右庫内Ｃを同時に冷却する場合は、一定速圧縮機７１Ｂから吐出された高温高圧の冷媒が、庫外熱交換器８１で凝縮し、三方弁９４からキャピラリチューブ９３Ｂ側に流れて、キャピラリチューブ９３Ｂで減圧され、庫内熱交換器５１Ｂで一部の冷媒が蒸発し、その後、庫内熱交換器５１Ｃで残りの液冷媒が蒸発して、一定速圧縮機７１Ｂに戻る。
【００６３】
また、中庫内Ｂと右庫内Ｃのうち右庫内Ｃのみを冷却する場合は、一定速圧縮機７１Ｂから吐出された高温高圧の冷媒が、庫外熱交換器８１で凝縮し、三方弁９４からキャピラリチューブ９３Ｃ側に流れて、キャピラリチューブ９３Ｃで減圧され、庫内熱交換器５１Ｃで蒸発して、一定速圧縮機７１Ｂに戻る。
【００６４】
図３に示すように、本実施の形態の自動販売機２１を制御する主制御手段２００は、入力処理部１０２、運転制御手段１０３、庫内ファン回転数設定手段１０４、節電運転終了検知手段１０５、所定時間設定手段１０６、圧縮機停止時間計測手段１０７により構成されている。
【００６５】
入力処理部１０２は、各庫内コラム内温度センサ４１Ａ，４１Ｂ，４１Ｃ、外気温度センサ１００、各庫内熱交換器温度センサ１０１Ａ，１０１Ｂ，１０１Ｃの温度データを読み取る。
【００６６】
運転制御手段１０３は、インバータ圧縮機７１Ａ、一定速圧縮機７１Ｂ、各庫内ファン６１Ａ，６１Ｂ，６１Ｃの運転を制御する。
【００６７】
庫内ファン回転数設定手段１０４は、節電運転終了によりインバータ圧縮機７１Ａまたは一定速圧縮機７１Ｂの運転を開始してから各庫内ファン６１Ａ，６１Ｂ，６１Ｃの通常運転に入るまでの各庫内ファン６１Ａ，６１Ｂ，６１Ｃの回転数を通常より小さく（低く）設定する。
【００６８】
節電運転終了検知手段１０５は、節電運転（例えば夏場のピークカット）中に所定の時刻（予め設定された節電運転終了時刻、例えば午後４時）に到達するか、または各庫内コラム内温度センサ４１Ａ，４１Ｂ，４１Ｃが検出したコラム内の温度（庫内温度）が所定の温度（例えば商品の価値に影響が出てくる、通常の商品販売時の温度より高い温度）に到達する等の節電運転を強制的に終了させる条件を満たしたことにより、節電運転が終了することを検知する。
【００６９】
所定時間設定手段１０６は、節電運転終了によりインバータ圧縮機７１Ａまたは一定速圧縮機７１Ｂの運転を開始してから、各庫内ファン６１Ａ，６１Ｂ，６１Ｃの少なくともいずれか一つを通常より小さい（低い）回転数で動作させる時間を設定する。
【００７０】
圧縮機停止時間計測手段１０７は、節電運転中にインバータ圧縮機７１Ａまたは一定速圧縮機７１Ｂの停止時間を計測するためのタイマーである。
【００７１】
以上のように構成された本実施の形態の自動販売機２１について、図４、図５を参照しながら、以下その動作、作用を説明する。
【００７２】
図４に示すように、節電運転中は、運転制御手段１０３は、冷却運転を行わず、インバータ圧縮機７１Ａ、一定速圧縮機７１Ｂ、各庫内ファン６１Ａ，６１Ｂ，６１Ｃを停止させている。
【００７３】
そして、節電運転終了検知手段１０５が節電運転終了を検知（ピークカットの場合、所定の時刻（予め設定された節電運転終了時刻）に到達するか、庫内温度が所定の温度に到達する等の節電運転を強制的に終了させる条件を満たしたことを検知）すれば（図５のＳＴＥＰ１）、運転制御手段１０３は、インバータ圧縮機７１Ａと一定速圧縮機７１Ｂの運転を開始すると共に、インバータ圧縮機７１Ａと一定速圧縮機７１Ｂの運転開始からの経過時間の計測を開始する（図５のＳＴＥＰ２）。
【００７４】
同時に、入力処理部１０２が、庫内温度である各庫内コラム内温度センサ４１Ａ，４１Ｂ，４１Ｃの温度を確認（検出）する（図５のＳＴＥＰ２）。
【００７５】
庫内温度が、左庫内Ａ、中庫内Ｂ、右庫内Ｃの順に高い場合、庫内ファン回転数設定手段１０４は、庫内ファン６１Ａ、庫内ファン６１Ｂ、庫内ファン６１Ｃの順に回転数を低く設定し、所定時間設定手段１０６が、庫内ファン６１Ａ、庫内ファン６１Ｂ、庫内ファン６１Ｃの順に節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの時間を長く設定する。
【００７６】
図４の例では、最も庫内温度が高い庫内ファン６１Ａについては、間欠率７５％となる通常よりも低く、しかも各庫内ファン６１Ａ，６１Ｂ，６１Ｃの内で最も低い回転数を３分継続した後に通常運転の回転数に高めるように設定される。
【００７７】
また、２番目に庫内温度が高い庫内ファン６１Ｂについては、間欠率６０％となる通常よりも低く、しかも各庫内ファン６１Ａ，６１Ｂ，６１Ｃの内では庫内ファン６１Ａの次に低い回転数を２分継続した後に通常運転の回転数に高めるように設定される。
【００７８】
また、最も庫内温度が低い庫内ファン６１Ｃについては、間欠率５０％となる通常よりも低く、しかも各庫内ファン６１Ａ，６１Ｂ，６１Ｃの内では最も高い回転数を１分継続した後に通常運転の回転数に高めるように設定される。
【００７９】
そして、運転制御手段１０３は、節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの間、通常運転時よりも低く設定された回転数で各庫内ファン６１Ａ，６１Ｂ，６１Ｃを運転する（図５のＳＴＥＰ３）。
【００８０】
そして、節電運転終了による圧縮機（インバータ圧縮機７１Ａ、一定速圧縮機７１Ｂ）の運転開始から所定時間設定手段１０６が設定した所定時間（庫内ファン６１Ａは３分、庫内ファン６１Ｂは２分、庫内ファン６１Ｃは１分）経過すれば、図５のＳＴＥＰ４をＹｅｓ側に分岐して、運転制御手段１０３は、通常運転時の回転数で各庫内ファン６１Ａ，６１Ｂ，６１Ｃを運転する（図５のＳＴＥＰ５）。
【００８１】
以上のように、本実施の形態においては、節電運転終了直後の庫内温度に応じて、節電運転が終了してから各庫内ファン６１Ａ，６１Ｂ，６１Ｃの通常運転に入るまでの時間を設定し、その間の各庫内ファン６１Ａ，６１Ｂ，６１Ｃの回転数を通常運転より小さく（低く）設定することにより、節電運転が終了してから各庫内ファン６１Ａ，６１Ｂ，６１Ｃの通常運転に入るまでの間、庫内熱交換器５１Ａ，５１Ｂ，５１Ｃで蒸発しきらない液
冷媒の量を抑え、液冷媒がインバータ圧縮機７１Ａや一定速圧縮機７１Ｂへ液戻りすることを防止でき、インバータ圧縮機７１Ａや一定速圧縮機７１Ｂの信頼性を確保することができる。
【００８２】
以上のように本実施の形態の自動販売機２１に用いた物品冷却装置は、圧縮機（インバータ圧縮機７１Ａ、一定速圧縮機７１Ｂ）と共に冷凍サイクルを構成し冷却運転時に蒸発器として働き庫内の空気を冷却する庫内熱交換器５１Ａ，５１Ｂ，５１Ｃと、庫内熱交換器５１Ａ，５１Ｂ，５１Ｃにより冷却された空気がそれぞれ左庫内Ａ、中庫内Ｂ、右庫内Ｃを循環するように送風する回転数可変の各庫内ファン６１Ａ，６１Ｂ，６１Ｃと、圧縮機（インバータ圧縮機７１Ａ、一定速圧縮機７１Ｂ）と各庫内ファン６１Ａ，６１Ｂ，６１Ｃの運転を制御する運転制御手段１０３とを有している。
【００８３】
そして、運転制御手段１０３は、節電運転中は圧縮機（インバータ圧縮機７１Ａ、一定速圧縮機７１Ｂ）と各庫内ファン６１Ａ，６１Ｂ，６１Ｃの運転を停止し、節電運転が終了すると（インバータ圧縮機７１Ａ、一定速圧縮機７１Ｂ）の運転を開始し、各庫内ファン６１Ａ，６１Ｂ，６１Ｃに対しては、節電運転終了により圧縮機（インバータ圧縮機７１Ａ、一定速圧縮機７１Ｂ）が運転を開始してから所定時間経過するまでの間は各庫内ファン６１Ａ，６１Ｂ，６１Ｃの回転数を通常の各庫内ファン運転時の回転数よりも低く抑える。
【００８４】
上記構成の物品冷却装置は、各庫内ファン６１Ａ，６１Ｂ，６１Ｃに回転数可変の庫内ファン６１Ａ，６１Ｂ，６１Ｃを用いており、節電運転終了により圧縮機（インバータ圧縮機７１Ａ、一定速圧縮機７１Ｂ）が運転を開始してから所定時間経過するまでの間は、運転制御手段１０３が各庫内ファン６１Ａ，６１Ｂ，６１Ｃの回転数を通常の庫内ファン運転時の回転数よりも低く抑える。
【００８５】
そのため、節電運転終了により、圧縮機（インバータ圧縮機７１Ａ、一定速圧縮機７１Ｂ）の運転開始に同期して各庫内ファン６１Ａ，６１Ｂ，６１Ｃが通常運転時の回転数で運転開始する場合に比べて、圧縮機（インバータ圧縮機７１Ａ、一定速圧縮機７１Ｂ）が運転を開始してから所定時間経過するまでの間は各庫内ファン６１Ａ，６１Ｂ，６１Ｃの回転数を低く抑えている分、庫内熱交換器５１Ａ，５１Ｂ，５１Ｃにより充分に冷却されずに庫内（左庫内Ａ、中庫内Ｂ、右庫内Ｃ）に送風される空気の量は少なくなる。
【００８６】
さらに、庫内熱交換器５１Ａ，５１Ｂ，５１Ｃを通過する空気の流れが遅いことにより庫内熱交換器５１Ａ，５１Ｂ，５１Ｃを通過する空気が庫内熱交換器５１Ａ，５１Ｂ，５１Ｃで熱交換する時間が長くなって、庫内熱交換器５１Ａ，５１Ｂ，５１Ｃを通過する空気が庫内熱交換器５１Ａ，５１Ｂ，５１Ｃにより冷却されやすくなる。
【００８７】
ゆえに、各庫内ファン６１Ａ，６１Ｂ，６１Ｃの運転で庫内熱交換器５１Ａ，５１Ｂ，５１Ｃにより冷却されていない空気が庫内（左庫内Ａ、中庫内Ｂ、右庫内Ｃ）に送風されて、庫内（左庫内Ａ、中庫内Ｂ、右庫内Ｃ）の物品（商品）を暖めてしまう不具合の発生を抑えることができる。
【００８８】
また、各庫内ファン６１Ａ，６１Ｂ，６１Ｃを通常運転時の回転数で運転する前に、回転数を低く抑えながらも各庫内ファン６１Ａ，６１Ｂ，６１Ｃを運転するので、圧縮機（インバータ圧縮機７１Ａ、一定速圧縮機７１Ｂ）の運転開始により徐々に庫内熱交換器５１Ａ，５１Ｂ，５１Ｃへの供給量が増加していく液冷媒は庫内熱交換器５１Ａ，５１Ｂ，５１Ｃを介して庫内熱交換器５１Ａ，５１Ｂ，５１Ｃの周囲の空気と熱交換できる。
【００８９】
そして、圧縮機（インバータ圧縮機７１Ａ、一定速圧縮機７１Ｂ）が運転を開始してか
ら所定時間経過し庫内熱交換器５１Ａ，５１Ｂ，５１Ｃに充分な量の液冷媒が供給される頃には、各庫内ファン６１Ａ，６１Ｂ，６１Ｃを通常運転時の回転数で運転しているので、充分な供給量になった液冷媒も庫内熱交換器５１Ａ，５１Ｂ，５１Ｃを介して庫内熱交換器５１Ａ，５１Ｂ，５１Ｃの周囲の空気と熱交換できることになる。
【００９０】
ゆえに、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにすることができる。
【００９１】
また、本実施の形態の自動販売機に用いた物品冷却装置は、庫内温度を検出する庫内温度検出手段（左庫内Ａの庫内温度を検出する庫内コラム内温度センサ４１Ａ、中庫内Ｂの庫内温度を検出する庫内コラム内温度センサ４１Ｂ、右庫内Ｃの庫内温度を検出する庫内コラム内温度センサ４１Ｃ）を有している。
【００９２】
そして、運転制御手段１０３が、節電運転終了時に庫内温度検出手段（庫内コラム内温度センサ４１Ａ，４１Ｂ，４１Ｃ）により検出した庫内温度が高いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低くすると共に、各庫内ファン６１Ａ，６１Ｂ，６１Ｃの回転数を通常の庫内ファン運転時の回転数よりも低く抑える所定時間を長くする。
【００９３】
一般に、節電運転終了時の庫内温度が高くなるほど、庫内熱交換器５１Ａ，５１Ｂ，５１Ｃが充分な低温になるのに時間がかかると共に、液冷媒が庫内熱交換器５１Ａ，５１Ｂ，５１Ｃで蒸発しやすくなる。
【００９４】
そのため、節電運転終了時の庫内温度が高いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低くすると共に、各庫内ファン６１Ａ，６１Ｂ，６１Ｃの回転数を通常の庫内ファン運転時の回転数よりも低く抑える所定時間を長くすることにより、節電運転による圧縮機（インバータ圧縮機７１Ａ、一定速圧縮機７１Ｂ）の長時間停止後に、各庫内ファン６１Ａ，６１Ｂ，６１Ｃの運転で庫内（左庫内Ａ、中庫内Ｂ、右庫内Ｃ）の物品（商品）を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにする効果を、より高めることができる。
【００９５】
また、本実施の形態の自動販売機２１に用いた物品冷却装置は、庫内（左庫内Ａ、中庫内Ｂ、右庫内Ｃ）が複数（３つ）有り、左庫内Ａには庫内熱交換器５１Ａと庫内ファン６１Ａ、中庫内Ｂには庫内熱交換器５１Ｂと庫内ファン６１Ｂ、右庫内Ｃには庫内熱交換器５１Ｃと庫内ファン６１Ｃというように、複数（３つ）の庫内（左庫内Ａ、中庫内Ｂ、右庫内Ｃ）のそれぞれに庫内熱交換器５１Ａ，５１Ｂ，５１Ｃと庫内ファン６１Ａ，６１Ｂ，６１Ｃを有する。
【００９６】
そのため、庫内（左庫内Ａ、中庫内Ｂ、右庫内Ｃ）が複数（３つ）有り、複数（３つ）の庫内（左庫内Ａ、中庫内Ｂ、右庫内Ｃ）のそれぞれに庫内熱交換器５１Ａ，５１Ｂ，５１Ｃと庫内ファン６１Ａ，６１Ｂ，６１Ｃを有する場合でも、複数（３つ）の庫内（左庫内Ａ、中庫内Ｂ、右庫内Ｃ）のそれぞれを考慮して、節電運転による圧縮機（インバータ圧縮機７１Ａ、一定速圧縮機７１Ｂ）の長時間停止後に、各庫内ファン６１Ａ，６１Ｂ，６１Ｃの運転で庫内（左庫内Ａ、中庫内Ｂ、右庫内Ｃ）の物品（商品）を暖めてしまう不具合の発生を抑えながら、庫内熱交換器５１Ａ，５１Ｂ，５１Ｃにおいて蒸発しきらない
液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにすることができる。
【００９７】
また、本実施の形態の自動販売機２１に用いた物品冷却装置は、左庫内Ａを冷却するための冷凍サイクルが、インバータ圧縮機７１Ａと四方弁９２と庫外熱交換器８１とキャピラリチューブ９３Ａと庫内熱交換器５１Ａとが環状に連接された構成の左庫内Ａ専用の冷凍サイクルである。
【００９８】
そのため、予め設定された節電運転終了時刻になる前に、庫内コラム内温度センサ４１Ａが検出した左庫内Ａの温度（庫内温度）が所定の温度（例えば商品の価値に影響が出てくる、通常の商品販売時の温度より高い温度）に到達する等の左庫内Ａ独自の節電運転を強制的に終了させる条件を満たした場合に、そのタイミングで左庫内Ａについては節電運転を終了させて、左庫内Ａの節電運転終了のタイミングを中庫内Ｂまたは右庫内Ｃの節電運転終了のタイミングとずらすことができる。
【００９９】
また、本実施の形態の自動販売機２１に用いた物品冷却装置は、三方弁９４からキャピラリチューブ９３Ｃを経由して庫内熱交換器５１Ｃに冷媒が流れるようにした場合は、中庫内Ｂと右庫内Ｃのうち右庫内Ｃのみを冷却できる。
【０１００】
そのため、節電運転終了により一定速圧縮機７１Ｂの運転を開始する時に三方弁９４をそのような冷媒流路になる状態にしておいて、比較的外気温の影響を受けにくい中庫内Ｂの節電運転終了のタイミングを右庫内Ｃの節電運転終了のタイミングより遅らせて、庫内ファン６１Ｂの運転開始が遅れた分の省エネを図ると共に、右庫内Ｃの庫内熱交換器５１Ｃに流れる液冷媒の割合を増やして庫内熱交換器５１Ｃの冷却能力を高めて右庫内Ｃを早く冷却させることができる。
【０１０１】
さらに、三方弁９４に液冷媒が流れるようになってから中庫内Ｂの庫内熱交換器５１Ｂにも冷媒が流れるように三方弁９４を切り替えると、庫内熱交換器５１Ｂに冷媒が流れ始めてから庫内熱交換器５１Ｂが冷媒の蒸発で充分に冷却されるまでの時間を短縮することができる。
【０１０２】
なお、中庫内Ｂの庫内熱交換器５１Ｂにも冷媒が流れるように三方弁９４を切り替えた後は、中庫内Ｂの庫内熱交換器５１Ｂで熱交換された後の冷媒が右庫内Ｃの庫内熱交換器５１Ｃに流れる（中庫内Ｂの庫内熱交換器５１Ｂで蒸発しなかった液冷媒が右庫内Ｃの庫内熱交換器５１Ｃに流れる）ため、庫内熱交換器５１Ｃの冷却能力が低下するので、中庫内Ｂの庫内熱交換器５１Ｂにも冷媒が流れるように三方弁９４を切り替える前に、庫内熱交換器５１Ｃで右庫内Ｃを充分に冷却させておくことが望ましい。
【０１０３】
なお、節電運転終了後は所定条件が満たされるまで、運転制御手段１０３が、圧縮機（インバータ圧縮機７１Ａ、一定速圧縮機７１Ｂ）を強制的に運転し、所定条件が満たされた後に、圧縮機（インバータ圧縮機７１Ａ、一定速圧縮機７１Ｂ）を通常の運転に戻すようにしてもよい。
【０１０４】
この場合は、節電運転による圧縮機（インバータ圧縮機７１Ａ、一定速圧縮機７１Ｂ）の長時間停止により温度上昇した庫内（左庫内Ａ、中庫内Ｂ、右庫内Ｃ）及び庫内（左庫内Ａ、中庫内Ｂ、右庫内Ｃ）の物品（商品）を早く冷却することができ、庫内（左庫内Ａ、中庫内Ｂ、右庫内Ｃ）の温度分布が不均一であったり、庫内（左庫内Ａ、中庫内Ｂ、右庫内Ｃ）に比較的冷却されにくい物品（商品）があった場合でも、庫内（左庫内Ａ、中庫内Ｂ、右庫内Ｃ）及び庫内（左庫内Ａ、中庫内Ｂ、右庫内Ｃ）の物品（商品）を早く充分に冷却でき、特に物品が食品（飲料を含む）の場合は、節電運転後の充分な冷却運転で品
質を維持することができる。
【０１０５】
なお、節電運転終了後は所定条件が満たされるまで、運転制御手段１０３が、インバータ圧縮機７１Ａを予め設定された回転数で強制的に運転し、所定条件が満たされた後に、通常のインバータ圧縮機７１Ａの運転に戻すようにしてもよい。
【０１０６】
この場合は、一定速圧縮機７１Ｂを強制的に連続運転する場合と同等以上の冷却能力が得られるように、予め設定された回転数を適切に設定することにより、節電運転による圧縮機の長時間停止により温度上昇した左庫内Ａ及び左庫内Ａの物品（商品）を早く冷却することができ、左庫内Ａの温度分布が不均一であったり、左庫内Ａに比較的冷却されにくい物品（商品）があった場合でも、左庫内Ａ及び左庫内Ａの物品（商品）を早く充分に冷却でき、特に物品が食品（飲料を含む）の場合は、節電運転後の充分な冷却運転で品質を維持することができる。
【０１０７】
また、本実施の形態は、物品冷却装置を自動販売機に適用しているが、この場合は、節電運転による圧縮機（インバータ圧縮機７１Ａ、一定速圧縮機７１Ｂ）の長時間停止後に、各庫内ファン６１Ａ，６１Ｂ，６１Ｃの運転で左庫内Ａ、中庫内Ｂ、右庫内Ｃの缶飲料やＰＥＴボトル飲料などの販売商品を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにすることができ、特に節電運転を行う飲料自動販売機で実用的である。
【０１０８】
なお、節電運転終了時に検出した庫内温度の代わりに（または、節電運転終了時に検出した庫内温度に加えて）、図６に示すように、節電運転終了時に外気温度センサ１００（外気温検出手段）により検出した外気温を基に、節電運転終了により各圧縮機７１Ａ，７１Ｂが運転を開始してから所定時間経過するまでの間の各庫内ファン６１Ａ，６１Ｂ，６１Ｃの回転数と、各庫内ファン６１Ａ，６１Ｂ，６１Ｃの回転数を通常運転時の回転数よりも低く抑える所定時間を設定しても構わない。
【０１０９】
この場合は、図６に示すように、先ず、節電運転終了検知手段１０５が節電運転終了を検知（ピークカットの場合、所定の時刻（予め設定された節電運転終了時刻）に到達するか、庫内温度が所定の温度に到達する等の節電運転を強制的に終了させる条件を満たしたことを検知）すれば（図６のＳＴＥＰ１）、運転制御手段１０３は、インバータ圧縮機７１Ａと一定速圧縮機７１Ｂの運転を開始すると共に、インバータ圧縮機７１Ａと一定速圧縮機７１Ｂの運転開始からの経過時間の計測を開始する（図６のＳＴＥＰ２）。
【０１１０】
同時に、入力処理部１０２が、外気温度センサ１００（外気温検出手段）の測定温度（検出温度）を確認（検出）する（図６のＳＴＥＰ２）。
【０１１１】
そして、庫内ファン回転数設定手段１０４により、節電運転終了時に外気温度センサ１００（外気温検出手段）の測定（検出）した外気温が高いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低く設定すると共に、所定時間設定手段１０６により、各庫内ファン６１Ａ，６１Ｂ，６１Ｃの回転数を通常の庫内ファン運転時の回転数よりも低く抑える所定時間（節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの時間）を長く設定する（図６のＳＴＥＰ３）。
【０１１２】
そして、運転制御手段１０３は、節電運転終了による圧縮機（インバータ圧縮機７１Ａ
、一定速圧縮機７１Ｂ）の運転開始から各庫内ファン６１Ａ，６１Ｂ，６１Ｃの通常運転に入るまでの間、設定された回転数で各庫内ファン６１Ａ，６１Ｂ，６１Ｃを運転する（図６のＳＴＥＰ３）。
【０１１３】
そして、節電運転終了による圧縮機（インバータ圧縮機７１Ａ、一定速圧縮機７１Ｂ）の運転開始から所定時間設定手段１０６が設定した所定時間経過すれば、図６のＳＴＥＰ４をＹｅｓ側に分岐してＳＴＥＰ５に進む。そして次のＳＴＥＰ５で、運転制御手段１０３は、通常運転時の回転数で各庫内ファン６１Ａ，６１Ｂ，６１Ｃを運転する。
【０１１４】
なお、本実施の形態のように、庫内が複数有り、複数の庫内のそれぞれに庫内熱交換器と庫内ファンを有する物品冷却装置であれば、節電運転終了時に検出した庫内温度の代わりに、図６に示すように、節電運転終了時に外気温度センサ１００（外気温検出手段）により検出した外気温を基に、節電運転終了により圧縮機が運転を開始してから所定時間経過するまでの間の各庫内ファン６１Ａ，６１Ｂ，６１Ｃの回転数と、各庫内ファン６１Ａ，６１Ｂ，６１Ｃの回転数を通常運転時の回転数よりも低く抑える所定時間を設定する場合は、各庫内ファン６１Ａ，６１Ｂ，６１Ｃの通常運転に戻る前の回転数と、各庫内ファン６１Ａ，６１Ｂ，６１Ｃの回転数を通常運転時の回転数よりも低く抑える所定時間とを、各庫内ファン６１Ａ，６１Ｂ，６１Ｃで同じにせず、左庫内Ａ、中庫内Ｂ、右庫内Ｃの条件を考慮して庫内ファン６１Ａ，６１Ｂ，６１Ｃ毎に個別に設定することが望ましい。
【０１１５】
以上のように、本実施の形態の他の例（図６に示す例）においては、節電運転終了直後の外気温度に応じて、節電運転が終了してから各庫内ファン６１Ａ，６１Ｂ，６１Ｃの通常運転に入るまでの時間を設定し、その間の各庫内ファン６１Ａ，６１Ｂ，６１Ｃの回転数を通常運転より小さく（低く）設定することにより、節電運転が終了してから各庫内ファン６１Ａ，６１Ｂ，６１Ｃの通常運転に入るまでの間、庫内熱交換器５１Ａ，５１Ｂ，５１Ｃで蒸発しきらない液冷媒の量を抑え、液冷媒がインバータ圧縮機７１Ａや一定速圧縮機７１Ｂへ液戻りすることを防止でき、インバータ圧縮機７１Ａや一定速圧縮機７１Ｂの信頼性を確保することができる。
【０１１６】
図６に示す例では、外気温を測定（検出）する外気温度センサ１００（外気温検出手段）を有し、運転制御手段１０３が、節電運転終了時に外気温度センサ１００（外気温検出手段）により検出した外気温が高いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低くすると共に、各庫内ファン６１Ａ，６１Ｂ，６１Ｃの回転数を通常の庫内ファン運転時の回転数よりも低く抑える所定時間を長くする。
【０１１７】
一般に、節電運転終了時の外気温が高くなるほど、節電運転終了時の左庫内Ａ、中庫内Ｂ、右庫内Ｃの庫内温度が高く、左庫内Ａ、中庫内Ｂ、右庫内Ｃの冷却が難しい傾向にあるので、節電運転終了時の外気温が高くなるほど、庫内熱交換器５１Ａ，５１Ｂ，５１Ｃが充分な低温になるのに時間がかかると共に、液冷媒が庫内熱交換器５１Ａ，５１Ｂ，５１Ｃで蒸発しやすくなると考えられる。
【０１１８】
そのため、節電運転終了時の外気温が高いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低くすると共に、各庫内ファン６１Ａ，６１Ｂ，６１Ｃの回転数を通常の庫内ファン運転時の回転数よりも低く抑える所定時間を長くすることにより、節電運転による圧縮機（インバータ圧縮機７１Ａ、一定速圧縮機７１Ｂ）の長時間停止後に、各庫内ファン６１Ａ，６１Ｂ，６１Ｃの運転で左庫内Ａ、中庫内Ｂ、右庫内Ｃの物品（商品）を暖めてしまう不具合の発生を抑えながら、庫内熱交換
器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにする効果を、より高めることができる。
【０１１９】
また、節電運転終了時に検出した庫内温度の代わりに（または、節電運転終了時に検出した庫内温度に加えて）、図７に示すように、節電運転終了時に圧縮機停止時間計測手段１０７により計測した節電運転による圧縮機（インバータ圧縮機７１Ａ、一定速圧縮機７１Ｂ）の停止時間を基に、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数と、各庫内ファン６１Ａ，６１Ｂ，６１Ｃの回転数を通常運転時の回転数よりも低く抑える所定時間を設定しても構わない。
【０１２０】
この場合は、図７に示すように、先ず、節電運転の開始により、圧縮機（インバータ圧縮機７１Ａ、一定速圧縮機７１Ｂ）と各庫内ファン６１Ａ，６１Ｂ，６１Ｃの運転を停止させると同時に、圧縮機停止時間計測手段１０７により圧縮機（インバータ圧縮機７１Ａ、一定速圧縮機７１Ｂ）の停止時間の計測を開始する（図７のＳＴＥＰ１）。
【０１２１】
そして、節電運転終了検知手段１０５が節電運転終了を検知（ピークカットの場合、所定の時刻（予め設定された節電運転終了時刻）に到達するか、庫内温度が所定の温度に到達する等の節電運転を強制的に終了させる条件を満たしたことを検知）すれば、図７のＳＴＥＰ２をＹｅｓ側に分岐してＳＴＥＰ３に進む。
【０１２２】
そして、次のＳＴＥＰ３において、運転制御手段１０３は、インバータ圧縮機７１Ａと一定速圧縮機７１Ｂの運転を開始すると共に、インバータ圧縮機７１Ａと一定速圧縮機７１Ｂの運転開始からの経過時間の計測を開始する。さらに、節電運転による圧縮機（インバータ圧縮機７１Ａ、一定速圧縮機７１Ｂ）の停止時間を圧縮機停止時間計測手段１０７により計測（検知）する。
【０１２３】
そして、次のＳＴＥＰ４において、庫内ファン回転数設定手段１０４により、節電運転終了時に圧縮機停止時間計測手段１０７により計測（検知）した圧縮機（インバータ圧縮機７１Ａ、一定速圧縮機７１Ｂ）の停止時間が長いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低く設定すると共に、所定時間設定手段１０６により、各庫内ファン６１Ａ，６１Ｂ，６１Ｃの回転数を通常の庫内ファン運転時の回転数よりも低く抑える所定時間（節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの時間）を長く設定する。
【０１２４】
そして、運転制御手段１０３は、節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの間、設定された回転数で各庫内ファン６１Ａ，６１Ｂ，６１Ｃを運転する（図７のＳＴＥＰ４）。
【０１２５】
そして、節電運転終了による圧縮機（インバータ圧縮機７１Ａ、一定速圧縮機７１Ｂ）の運転開始から所定時間設定手段１０６が設定した所定時間経過すれば、図７のＳＴＥＰ５をＹｅｓ側に分岐してＳＴＥＰ６に進む。そして次のＳＴＥＰ６で、運転制御手段１０３は、通常運転時の回転数で各庫内ファン６１Ａ，６１Ｂ，６１Ｃを運転する。
【０１２６】
なお、本実施の形態のように、庫内が複数有り、複数の庫内のそれぞれに庫内熱交換器と庫内ファンを有する物品冷却装置であれば、節電運転終了時に検出した庫内温度の代わ
りに、図７に示すように、節電運転終了時に圧縮機停止時間計測手段１０７により計測（検知）した節電運転による圧縮機（インバータ圧縮機７１Ａ、一定速圧縮機７１Ｂ）の停止時間を基に、節電運転終了により圧縮機が運転を開始してから所定時間経過するまでの間の各庫内ファン６１Ａ，６１Ｂ，６１Ｃの回転数と、各庫内ファン６１Ａ，６１Ｂ，６１Ｃの回転数を通常運転時の回転数よりも低く抑える所定時間を設定する場合は、各庫内ファン６１Ａ，６１Ｂ，６１Ｃの通常運転に戻る前の回転数と、各庫内ファン６１Ａ，６１Ｂ，６１Ｃの回転数を通常運転時の回転数よりも低く抑える所定時間とを、各庫内ファン６１Ａ，６１Ｂ，６１Ｃで同じにせず、左庫内Ａ、中庫内Ｂ、右庫内Ｃの条件を考慮して、庫内ファン６１Ａ，６１Ｂ，６１Ｃ毎に個別に設定することが望ましい。
【０１２７】
また、本実施の形態の自動販売機２１に用いた物品冷却装置は、左庫内Ａを冷却するための冷凍サイクルが、インバータ圧縮機７１Ａを用いた左庫内Ａ専用の冷凍サイクルであり、中庫内Ｂと右庫内Ｃを冷却するための冷凍サイクルが、一定速圧縮機７１Ｂを用いた中庫内Ｂと右庫内Ｃで兼用の冷凍サイクルであるので、予め設定された節電運転終了時刻になる前に、庫内温度が所定の温度（例えば商品の価値に影響が出てくる、通常の商品販売時の温度より高い温度）に到達する等の各庫内独自の節電運転を強制的に終了させる条件を満たした場合は、左庫内Ａの節電運転終了のタイミングが中庫内Ｂまたは右庫内Ｃの節電運転終了のタイミングとずれることがあり得る。
【０１２８】
その場合は、左庫内Ａの節電運転終了でインバータ圧縮機７１Ａが運転を開始するタイミングと、中庫内Ｂまたは右庫内Ｃの節電運転終了で一定速圧縮機７１Ｂが運転を開始するタイミングとが異なるが、その場合は、左庫内Ａの節電運転終了時に圧縮機停止時間計測手段１０７により計測（検知）した節電運転によるインバータ圧縮機７１Ａの停止時間を基に、節電運転終了によりインバータ圧縮機７１Ａが運転を開始してから所定時間経過するまでの間の庫内ファン６１Ａの回転数と、庫内ファン６１Ａの回転数を通常運転時の回転数よりも低く抑える所定時間を設定する。
【０１２９】
同様に、中庫内Ｂと右庫内Ｃの節電運転終了時に圧縮機停止時間計測手段１０７により計測（検知）した節電運転による一定速圧縮機７１Ｂの停止時間を基に、節電運転終了により一定速圧縮機７１Ｂが運転を開始してから所定時間経過するまでの間の庫内ファン６１Ｂ，６１Ｃの回転数と、庫内ファン６１Ｂ，６１Ｃの回転数を通常運転時の回転数よりも低く抑える所定時間を設定する。
【０１３０】
以上のように、本実施の形態のさらに別の例（図７に示す例）においては、節電運転による圧縮機（インバータ圧縮機７１Ａ、一定速圧縮機７１Ｂ）の停止時間に応じて、節電運転が終了してから各庫内ファン６１Ａ，６１Ｂ，６１Ｃの通常運転に入るまでの時間を設定し、その間の各庫内ファン６１Ａ，６１Ｂ，６１Ｃの回転数を通常運転より小さく（低く）設定することにより、節電運転が終了してから各庫内ファン６１Ａ，６１Ｂ，６１Ｃの通常運転に入るまでの間、庫内熱交換器５１Ａ，５１Ｂ，５１Ｃで蒸発しきらない液冷媒の量を抑え、液冷媒がインバータ圧縮機７１Ａや一定速圧縮機７１Ｂへ液戻りすることを防止でき、インバータ圧縮機７１Ａや一定速圧縮機７１Ｂの信頼性を確保することができる。
【０１３１】
図７に示す例では、節電運転による圧縮機（インバータ圧縮機７１Ａ、一定速圧縮機７１Ｂ）の停止時間を計測する圧縮機停止時間計測手段１０７を有し、運転制御手段１０３が、節電運転終了時に圧縮機停止時間計測手段１０７により計測した節電運転による圧縮機（インバータ圧縮機７１Ａ、一定速圧縮機７１Ｂ）の停止時間が長いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低くすると共に、各庫内ファン６１Ａ，６１Ｂ，６１Ｃの回転数を通常の庫内ファン運転時の回転数
よりも低く抑える所定時間を長くする。
【０１３２】
一般に、節電運転による圧縮機（インバータ圧縮機７１Ａ、一定速圧縮機７１Ｂ）の停止時間が長くなるほど、節電運転終了時の左庫内Ａ、中庫内Ｂ、右庫内Ｃの庫内温度は外気温により近い温度に上昇する傾向にあるので、節電運転による圧縮機（インバータ圧縮機７１Ａ、一定速圧縮機７１Ｂ）の停止時間が長くなるほど、庫内熱交換器５１Ａ，５１Ｂ，５１Ｃが充分な低温になるのに時間がかかると共に、液冷媒が庫内熱交換器５１Ａ，５１Ｂ，５１Ｃで蒸発しやすくなると考えられる。
【０１３３】
そのため、節電運転による圧縮機（インバータ圧縮機７１Ａ、一定速圧縮機７１Ｂ）の停止時間が長いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低くすると共に、各庫内ファン６１Ａ，６１Ｂ，６１Ｃの回転数を通常の庫内ファン運転時の回転数よりも低く抑える所定時間を長くすることにより、節電運転による圧縮機（インバータ圧縮機７１Ａ、一定速圧縮機７１Ｂ）の長時間停止後に、各庫内ファン６１Ａ，６１Ｂ，６１Ｃの運転で左庫内Ａ、中庫内Ｂ、右庫内Ｃの物品（商品）を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにする効果を、より高めることができる。
【０１３４】
また、節電運転終了時に検出した庫内温度の代わりに、または、節電運転終了時に検出した庫内温度に加えて、図８に示すように、節電運転終了時に庫内熱交換器温度検出手段（庫内熱交換器温度センサ１０１Ａ，１０１Ｂ，１０１Ｃ）により検出した庫内熱交換器５１Ａ，５１Ｂ，５１Ｃの温度を基に、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数と、各庫内ファン６１Ａ，６１Ｂ，６１Ｃの回転数を通常運転時の回転数よりも低く抑える所定時間を設定しても構わない。
【０１３５】
この場合は、図８に示すように、先ず、節電運転終了検知手段１０５が節電運転終了を検知（ピークカットの場合、所定の時刻（予め設定された節電運転終了時刻）に到達するか、庫内温度が所定の温度に到達する等の節電運転を強制的に終了させる条件を満たしたことを検知）すれば（図８のＳＴＥＰ１）、運転制御手段１０３は、インバータ圧縮機７１Ａと一定速圧縮機７１Ｂの運転を開始すると共に、インバータ圧縮機７１Ａと一定速圧縮機７１Ｂの運転開始からの経過時間の計測を開始する（図８のＳＴＥＰ２）。
【０１３６】
同時に、入力処理部１０２が、庫内熱交換器温度検出手段（庫内熱交換器温度センサ１０１Ａ，１０１Ｂ，１０１Ｃ）により測定（検出）した庫内熱交換器５１Ａ，５１Ｂ，５１Ｃの温度を確認（検出）する（図８のＳＴＥＰ２）。
【０１３７】
そして、節電運転終了時に庫内熱交換器温度検出手段（庫内熱交換器温度センサ１０１Ａ，１０１Ｂ，１０１Ｃ）により測定（検出）した庫内熱交換器５１Ａ，５１Ｂ，５１Ｃの温度が高いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低く設定すると共に、所定時間設定手段１０６により、各庫内ファン６１Ａ，６１Ｂ，６１Ｃの回転数を通常の庫内ファン運転時の回転数よりも低く抑える所定時間（節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの時間）を長く設定する（図８のＳＴＥＰ３）。
【０１３８】
そして、運転制御手段１０３は、節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの間、設定された回転数で各庫内ファン６１Ａ，６１Ｂ，６１Ｃを運転する（図８のＳＴＥＰ３）。
【０１３９】
そして、節電運転終了による圧縮機（インバータ圧縮機７１Ａ、一定速圧縮機７１Ｂ）の運転開始から所定時間設定手段１０６が設定した所定時間経過すれば、図８のＳＴＥＰ４をＹｅｓ側に分岐してＳＴＥＰ５に進む。そして次のＳＴＥＰ５で、運転制御手段１０３は、通常運転時の回転数で各庫内ファン６１Ａ，６１Ｂ，６１Ｃを運転する。
【０１４０】
以上のように、本実施の形態の別のもう一つの例（図８に示す例）においては、節電運転終了直後の庫内熱交換器５１Ａ，５１Ｂ，５１Ｃの温度に応じて、節電運転が終了してから各庫内ファン６１Ａ，６１Ｂ，６１Ｃの通常運転に入るまでの時間を設定し、その間の各庫内ファン６１Ａ，６１Ｂ，６１Ｃの回転数を通常運転より小さく（低く）設定することにより、節電運転が終了してから各庫内ファン６１Ａ，６１Ｂ，６１Ｃの通常運転に入るまでの間、庫内熱交換器５１Ａ，５１Ｂ，５１Ｃで蒸発しきらない液冷媒の量を抑え、液冷媒がインバータ圧縮機７１Ａや一定速圧縮機７１Ｂへ液戻りすることを防止でき、インバータ圧縮機７１Ａや一定速圧縮機７１Ｂの信頼性を確保することができる。
【０１４１】
図８に示す例では、庫内熱交換器５１Ａ，５１Ｂ，５１Ｃの温度を検出する庫内熱交換器温度検出手段（庫内熱交換器温度センサ１０１Ａ，１０１Ｂ，１０１Ｃ）を有し、運転制御手段１０３が、節電運転終了時に庫内熱交換器温度検出手段（庫内熱交換器温度センサ１０１Ａ，１０１Ｂ，１０１Ｃ）により検出した庫内熱交換器５１Ａ，５１Ｂ，５１Ｃの温度が高いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低くすると共に、各庫内ファン６１Ａ，６１Ｂ，６１Ｃの回転数を通常の庫内ファン運転時の回転数よりも低く抑える所定時間を長くする。
【０１４２】
一般に、節電運転終了時の庫内熱交換器５１Ａ，５１Ｂ，５１Ｃの温度が高くなるほど、節電運転終了時の庫内温度が高く、庫内の冷却が難しい傾向にあるので、節電運転終了時の庫内熱交換器５１Ａ，５１Ｂ，５１Ｃの温度が高くなるほど、庫内熱交換器５１Ａ，５１Ｂ，５１Ｃが充分な低温になるのに時間がかかると共に、液冷媒が庫内熱交換器５１Ａ，５１Ｂ，５１Ｃで蒸発しやすくなると考えられる。
【０１４３】
そのため、節電運転終了時の庫内熱交換器５１Ａ，５１Ｂ，５１Ｃの温度が高いほど、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数を低くすると共に、各庫内ファン６１Ａ，６１Ｂ，６１Ｃの回転数を通常の庫内ファン運転時の回転数よりも低く抑える所定時間を長くすることにより、節電運転による圧縮機（インバータ圧縮機７１Ａ、一定速圧縮機７１Ｂ）の長時間停止後に、各庫内ファン６１Ａ，６１Ｂ，６１Ｃの運転で左庫内Ａ、中庫内Ｂ、右庫内Ｃの物品（商品）を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにする効果を、より高めることができる。
【０１４４】
（実施の形態２）
図９は本発明の実施の形態２における物品冷却装置を備えた自動販売機の節電運転後の圧縮機の運転状態と各庫内ファンの回転数の関係を示すタイムチャートである。
【０１４５】
本実施の形態は、節電運転終了により圧縮機（インバータ圧縮機７１Ａ、一定速圧縮機７１Ｂ）が運転を開始してから各庫内ファン６１Ａ，６１Ｂ，６１Ｃが通常運転に入るまでの各庫内ファン６１Ａ，６１Ｂ，６１Ｃの回転数を通常より小さく（低く）設定する庫内ファン回転数設定手段１０４が、通常運転時より低い回転数を各庫内ファン６１Ａ，６１Ｂ，６１Ｃに対して複数設定し、運転制御手段１０３が、図９に示すように節電運転終了後の通常運転に入るまでの各庫内ファン６１Ａ，６１Ｂ，６１Ｃの回転数を段階的に増加させる点で、実施の形態１と異なっており、その他は実施の形態１と同様であるので、説明を省略する。
【０１４６】
以上のように構成された本実施の形態の自動販売機２１について、図９を参照しながら、以下その動作、作用を説明する。
【０１４７】
図９に示すように、節電運転中は、運転制御手段１０３は、冷却運転を行わず、インバータ圧縮機７１Ａ、一定速圧縮機７１Ｂ、各庫内ファン６１Ａ，６１Ｂ，６１Ｃを停止させている。
【０１４８】
そして、節電運転終了検知手段１０５が節電運転終了を検知（ピークカットの場合、所定の時刻（予め設定された節電運転終了時刻）に到達するか、庫内温度が所定の温度に到達する等の節電運転を強制的に終了させる条件を満たしたことを検知）すれば、運転制御手段１０３は、インバータ圧縮機７１Ａと一定速圧縮機７１Ｂの運転を開始すると共に、インバータ圧縮機７１Ａと一定速圧縮機７１Ｂの運転開始からの経過時間の計測を開始する。
【０１４９】
同時に、入力処理部１０２が、庫内温度である各庫内コラム内温度センサ４１Ａ，４１Ｂ，４１Ｃの温度を確認（検出）する。
【０１５０】
庫内温度が、左庫内Ａ、中庫内Ｂ、右庫内Ｃの順に高い場合、庫内ファン回転数設定手段１０４は、庫内ファン６１Ａ、庫内ファン６１Ｂ、庫内ファン６１Ｃの順に回転数を低く、それぞれ最初と２番目の２つずつ設定し、所定時間設定手段１０６が、庫内ファン６１Ａ、庫内ファン６１Ｂ、庫内ファン６１Ｃの順に節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの時間を長く設定する。
【０１５１】
図９の例では、節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの時間を、最も庫内温度が高い庫内ファン６１Ａについては５分、２番目に庫内温度が高い庫内ファン６１Ｂについては４分、最も庫内温度が低い庫内ファン６１Ｃについては３分に設定される。
【０１５２】
そして、最も庫内温度が高い庫内ファン６１Ａについては、間欠率７５％となる通常よりも低く、しかも各庫内ファン６１Ａ，６１Ｂ，６１Ｃの内で最初の回転数としては最も低い回転数を３分継続した後に、間欠率６０％となる通常よりも低く、しかも各庫内ファン６１Ａ，６１Ｂ，６１Ｃの内で２番目の回転数としては最も低い回転数を残りの２分継続してから通常運転の回転数に高めるように設定される。
【０１５３】
また、２番目に庫内温度が高い庫内ファン６１Ｂについては、間欠率６０％となる通常よりも低く、しかも各庫内ファン６１Ａ，６１Ｂ，６１Ｃの内で最初の回転数としては庫内ファン６１Ａの次に低い回転数を２分継続した後に、間欠率５０％となる通常よりも低く、しかも各庫内ファン６１Ａ，６１Ｂ，６１Ｃの内で２番目の回転数としては庫内ファン６１Ａの次に低い回転数を残りの２分継続してから通常運転の回転数に高めるように設
定される。
【０１５４】
また、最も庫内温度が低い庫内ファン６１Ｃについては、間欠率５０％となる通常よりも低く、しかも各庫内ファン６１Ａ，６１Ｂ，６１Ｃの内で最初の回転数としては最も高い回転数を１分継続した後に、間欠率４０％となる通常よりも低く、しかも各庫内ファン６１Ａ，６１Ｂ，６１Ｃの内で２番目の回転数としては最も高い回転数を残りの２分継続してから通常運転の回転数に高めるように設定される。
【０１５５】
そして、運転制御手段１０３は、節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの間、通常運転時よりも低く設定された回転数で段階的に回転数が増加するように各庫内ファン６１Ａ，６１Ｂ，６１Ｃを運転する。
【０１５６】
そして、節電運転終了による圧縮機（インバータ圧縮機７１Ａ、一定速圧縮機７１Ｂ）の運転開始から所定時間設定手段１０６が設定した所定時間（庫内ファン６１Ａは５分、庫内ファン６１Ｂは４分、庫内ファン６１Ｃは３分）経過すれば、運転制御手段１０３は、通常運転時の回転数で各庫内ファン６１Ａ，６１Ｂ，６１Ｃを運転する。
【０１５７】
以上のように、本実施の形態においては、節電運転終了直後の庫内温度に応じて、節電運転が終了してから各庫内ファン６１Ａ，６１Ｂ，６１Ｃの通常運転に入るまでの時間を設定し、その間の各庫内ファン６１Ａ，６１Ｂ，６１Ｃの回転数を通常運転より小さく（低く）設定すると共に回転数を段階的に増やしていくことにより、節電運転が終了してから各庫内ファン６１Ａ，６１Ｂ，６１Ｃの通常運転に入るまでの間、庫内熱交換器５１Ａ，５１Ｂ，５１Ｃで蒸発しきらない液冷媒の量を抑え、液冷媒がインバータ圧縮機７１Ａや一定速圧縮機７１Ｂへ液戻りすることを防止でき、インバータ圧縮機７１Ａや一定速圧縮機７１Ｂの信頼性を確保することができる。
【０１５８】
本実施の形態では、運転制御手段１０３が、節電運転終了後の各庫内ファン６１Ａ，６１Ｂ，６１Ｃの回転数を段階的に増加させることを特徴とする。
【０１５９】
一般に、節電運転による圧縮機（インバータ圧縮機７１Ａ、一定速圧縮機７１Ｂ）の長時間停止後の圧縮機（インバータ圧縮機７１Ａ、一定速圧縮機７１Ｂ）の運転開始直後からしばらくの間は、各庫内熱交換器５１Ａ，５１Ｂ，５１Ｃに液冷媒が供給されず、時間の経過にしたがって徐々に庫内熱交換器５１Ａ，５１Ｂ，５１Ｃへの液冷媒の供給量が増加していき、庫内熱交換器５１Ａ，５１Ｂ，５１Ｃへの液冷媒の供給量に比例するように庫内熱交換器５１Ａ，５１Ｂ，５１Ｃによる冷却能力が高まっていく。
【０１６０】
そのため、節電運転終了後の各庫内ファン６１Ａ，６１Ｂ，６１Ｃの回転数を段階的に増加させることにより、節電運転による圧縮機（インバータ圧縮機７１Ａ、一定速圧縮機７１Ｂ）の長時間停止後に、庫内ファン６１Ａ，６１Ｂ，６１Ｃの運転で左庫内Ａ、中庫内Ｂ、右庫内Ｃの物品（商品）を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにする効果を、より高めることができる。
【０１６１】
なお、節電運転終了時に検出した庫内温度の代わりに（または、節電運転終了時に検出した庫内温度に加えて）、節電運転終了時に外気温度センサ１００（外気温検出手段）により検出した外気温、または、節電運転終了時に圧縮機停止時間計測手段１０７により計測した節電運転による圧縮機（インバータ圧縮機７１Ａ、一定速圧縮機７１Ｂ）の停止時間、または、節電運転終了時に庫内熱交換器温度検出手段（庫内熱交換器温度センサ１０
１Ａ，１０１Ｂ，１０１Ｃ）により検出した庫内熱交換器５１Ａ，５１Ｂ，５１Ｃの温度を基に、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数と、各庫内ファン６１Ａ，６１Ｂ，６１Ｃの回転数を通常運転時の回転数よりも低く抑える所定時間を設定しても構わない。
【０１６２】
また、本実施の形態では、節電運転終了による圧縮機（インバータ圧縮機７１Ａ、一定速圧縮機７１Ｂ）の運転開始後に、各庫内ファン６１Ａ，６１Ｂ，６１Ｃに対して、通常運転時の回転数より低い回転数で２段階に回転数を増加させてから通常運転の回転数で運転するようにしているが、３段階以上に回転数を増加させても構わない。
【０１６３】
また、各庫内ファン６１Ａ，６１Ｂ，６１Ｃで増加させる段階数を同じにする必要はなく、各庫内ファン６１Ａ，６１Ｂ，６１Ｃの内で通常運転時の風速が速いものや、節電運転終了後の通常運転に入る前の回転数を低く抑える時間の長いものの段階数を他より多くしても構わない。
【０１６４】
（実施の形態３）
図１０は本発明の実施の形態３における物品冷却装置を備えた自動販売機の節電運転後の圧縮機の運転状態と各庫内ファンの回転数の関係を示すタイムチャート、図１１は同実施の形態の自動販売機の運転制御手段による節電運転終了を検知してからの制御を示すフローチャートである。
【０１６５】
本実施の形態は、運転制御手段１０３が、節電運転終了後の各庫内ファン６１Ａ，６１Ｂ，６１Ｃの少なくとも一つの運転開始を圧縮機（インバータ圧縮機７１Ａ、一定速圧縮機７１Ｂ）の運転開始よりも所定時間よりも短い所定の遅延時間だけ遅らせる点で、実施の形態１または実施の形態２と異なっており、その他は実施の形態１または実施の形態２と同様であるので、説明を省略する。
【０１６６】
具体的には、節電運転終了検知手段１０５が節電運転終了を検知した時の各庫内コラム内温度センサ４１Ａ，４１Ｂ，４１Ｃの測定（検出）温度を基に、左庫内Ａ、中庫内Ｂ、右庫内Ｃの内で比較的庫内温度が高い庫内の庫内ファン６１Ａ、庫内ファン６１Ｂ、庫内ファン６１Ｃについて、庫内ファン回転数設定手段１０４が、回転数を、最初が０回転、２番目が通常運転時の回転数より低い所定回転数と設定する。
【０１６７】
また、節電運転終了検知手段１０５が節電運転終了を検知した時の各庫内コラム内温度センサ４１Ａ，４１Ｂ，４１Ｃの測定（検出）温度を基に、所定時間設定手段１０６が、節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの時間（所定時間）と、左庫内Ａ、中庫内Ｂ、右庫内Ｃの内で比較的庫内温度が高い庫内の庫内ファン６１Ａ、庫内ファン６１Ｂ、庫内ファン６１Ｃの最初の０回転を継続する所定時間よりも短く設定される遅延時間を設定する。
【０１６８】
以上のように構成された本実施の形態の自動販売機２１について、図１０、図１１を参照しながら、以下その動作、作用を説明する。
【０１６９】
図１０に示すように、節電運転中は、運転制御手段１０３は、冷却運転を行わず、インバータ圧縮機７１Ａ、一定速圧縮機７１Ｂ、各庫内ファン６１Ａ，６１Ｂ，６１Ｃを停止させている。
【０１７０】
そして、節電運転終了検知手段１０５が節電運転終了を検知（ピークカットの場合、所
定の時刻（予め設定された節電運転終了時刻）に到達するか、庫内温度が所定の温度に到達する等の節電運転を強制的に終了させる条件を満たしたことを検知）すれば（図１１のＳＴＥＰ１）、運転制御手段１０３は、インバータ圧縮機７１Ａと一定速圧縮機７１Ｂの運転を開始すると共に、インバータ圧縮機７１Ａと一定速圧縮機７１Ｂの運転開始からの経過時間の計測を開始する（図１１のＳＴＥＰ２）。
【０１７１】
同時に、入力処理部１０２が、庫内温度である各庫内コラム内温度センサ４１Ａ，４１Ｂ，４１Ｃの温度を確認（検出）する（図１１のＳＴＥＰ２）。
【０１７２】
図１０に示すように、庫内温度が、中庫内Ｂ、左庫内Ａ、右庫内Ｃの順に高い場合、庫内ファン回転数設定手段１０４は、庫内ファン６１Ｂ、庫内ファン６１Ａ、庫内ファン６１Ｃの順に回転数を低く設定し、所定時間設定手段１０６が、庫内ファン６１Ｂ、庫内ファン６１Ａ、庫内ファン６１Ｃの順に節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの時間を長く設定する。また、庫内ファン６１Ｂについては、他の庫内ファン６１Ａ，６１Ｃよりも節電運転終了後の運転開始を遅らせる。
【０１７３】
図１０の例では、所定時間設定手段１０６が、節電運転終了による圧縮機（インバータ圧縮機７１Ａ、一定速圧縮機７１Ｂ）の運転開始から各庫内ファン６１Ａ，６１Ｂ，６１Ｃの通常運転に入るまでの時間（所定時間）を、最も庫内温度が高い中庫内Ｂの庫内ファン６１Ｂについては４分、２番目に庫内温度が高い左庫内Ａの庫内ファン６１Ａについては２分、最も庫内温度が低い右庫内Ｃの庫内ファン６１Ｃについては１分に設定する。
【０１７４】
さらに所定時間設定手段１０６が、最も庫内温度が高い庫内ファン６１Ｂについては、他の庫内ファン６１Ａ，６１Ｃよりも節電運転終了後の運転開始を遅らせる遅延時間（庫内ファン回転数設定手段１０４により設定された最初の０回転を継続する時間）を２分に設定する（図１１のＳＴＥＰ３）。
【０１７５】
また、庫内ファン回転数設定手段１０４が、最も庫内温度が高い中庫内Ｂの庫内ファン６１Ｂについては、最初は０回転、２番目が間欠率７５％となる通常よりも低く、しかも各庫内ファン６１Ａ，６１Ｂ，６１Ｃの内で最も低い回転数（遅延時間だけ他の庫内ファン６１Ａ，６１Ｃより運転開始を遅らせて間欠率７５％となる通常よりも低く、しかも各庫内ファン６１Ａ，６１Ｂ，６１Ｃの内で最も低い回転数）を設定する。
【０１７６】
また、庫内ファン回転数設定手段１０４が、２番目に庫内温度が高い庫内ファン６１Ａについては、間欠率６０％となる通常よりも低く、しかも各庫内ファン６１Ａ，６１Ｂ，６１Ｃの内では庫内ファン６１Ａの次に低い回転数を設定し、最も庫内温度が低い庫内ファン６１Ｃについては、間欠率５０％となる通常よりも低く、しかも各庫内ファン６１Ａ，６１Ｂ，６１Ｃの内では最も高い回転数を設定する。
【０１７７】
そして、遅延時間が設定された最も庫内温度が高い中庫内Ｂの庫内ファン６１Ｂについては、節電運転終了による一定速圧縮機７１Ｂの運転開始からの経過時間が所定時間設定手段１０６により設定された遅延時間に達すると、図１１のＳＴＥＰ４をＹｅｓ側に分岐して次のＳＴＥＰ５に進み、遅延時間が設定されない他の庫内ファン６１Ａ，６１Ｃについては、図１１のＳＴＥＰ３からＳＴＥＰ５に進む。
【０１７８】
そして、図１１のＳＴＥＰ５において、運転制御手段１０３は、節電運転終了による圧縮機（インバータ圧縮機７１Ａ、一定速圧縮機７１Ｂ）の運転開始から各庫内ファン６１Ａ，６１Ｂ，６１Ｃの通常運転に入るまで、庫内ファン６１Ｂは間欠率７５％となる回転数、庫内ファン６１Ａは間欠率６０％となる回転数、庫内ファン６１Ｃは間欠率５０％と
なる回転数で運転される。
【０１７９】
そして、節電運転終了による圧縮機（インバータ圧縮機７１Ａ、一定速圧縮機７１Ｂ）の運転開始から所定時間設定手段１０６が設定した所定時間（庫内ファン６１Ａは２分、庫内ファン６１Ｂは４分、庫内ファン６１Ｃは１分）経過すれば、図１１のＳＴＥＰ６をＹｅｓ側に分岐して、運転制御手段１０３は、通常運転時の回転数で各庫内ファン６１Ａ，６１Ｂ，６１Ｃを運転する（図１１のＳＴＥＰ７）。
【０１８０】
以上のように、本実施の形態においては、節電運転終了直後の庫内温度に応じて、節電運転が終了してから各庫内ファン６１Ａ，６１Ｂ，６１Ｃの通常運転に入るまでの時間を設定し、その間の各庫内ファン６１Ａ，６１Ｂ，６１Ｃの回転数を通常運転より小さく（低く）設定すると共に、比較的庫内温度の高い中庫内Ｂの庫内ファン６１Ｂを、節電運転終了により一定速圧縮機７１Ｂの運転を開始してから所定の時間よりも短い所定の遅延時間だけ遅延させて動作させることにより、節電運転が終了してから各庫内ファン６１Ａ，６１Ｂ，６１Ｃの通常運転に入るまでの間、庫内熱交換器５１Ａ，５１Ｂ，５１Ｃで蒸発しきらない液冷媒の量を抑え、液冷媒がインバータ圧縮機７１Ａや一定速圧縮機７１Ｂへ液戻りすることを防止でき、インバータ圧縮機７１Ａや一定速圧縮機７１Ｂの信頼性を確保することができる。
【０１８１】
さらに、インバータ圧縮機７１Ａ、一定速圧縮機７１Ｂの信頼性を確保しつつ、遅延動作させた中庫内Ｂの庫内熱交換器５１Ｂの温度を早く下げることができ、中庫内Ｂの商品温度をより早く冷却することができる。
【０１８２】
本実施の形態では、運転制御手段１０３が、節電運転終了後の各庫内ファン６１Ａ，６１Ｂ，６１Ｃの少なくとも一つの運転開始を圧縮機（インバータ圧縮機７１Ａ、一定速圧縮機７１Ｂ）の運転開始よりも所定時間（節電運転終了による圧縮機（インバータ圧縮機７１Ａ、一定速圧縮機７１Ｂ）の運転開始から各庫内ファン６１Ａ，６１Ｂ，６１Ｃが通常運転するまでの時間）よりも短い所定の遅延時間だけ遅らせることを特徴とする。
【０１８３】
一般に、節電運転による圧縮機（インバータ圧縮機７１Ａ、一定速圧縮機７１Ｂ）の長時間停止後の圧縮機（インバータ圧縮機７１Ａ、一定速圧縮機７１Ｂ）の運転開始直後からしばらくの間は、庫内熱交換器５１Ａ，５１Ｂ，５１Ｃに液冷媒が供給されず、時間の経過にしたがって徐々に庫内熱交換器５１Ａ，５１Ｂ，５１Ｃへの液冷媒の供給量が増加していき、庫内熱交換器５１Ａ，５１Ｂ，５１Ｃへの液冷媒の供給量に比例するように庫内熱交換器５１Ａ，５１Ｂ，５１Ｃによる冷却能力が高まっていく。
【０１８４】
そのため、圧縮機（インバータ圧縮機７１Ａ、一定速圧縮機７１Ｂ）の運転開始直後の庫内熱交換器５１Ａ，５１Ｂ，５１Ｃに液冷媒がほとんど供給されていないうちは、庫内ファン６１Ａ，６１Ｂ，６１Ｃを停止させていても、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮める虞はない。
【０１８５】
また、節電運転終了後の庫内ファン６１Ａ，６１Ｂ，６１Ｃの運転開始を圧縮機（インバータ圧縮機７１Ａ、一定速圧縮機７１Ｂ）の運転開始よりも所定時間よりも短い所定の遅延時間だけ遅らせると、節電運転終了直後の庫内熱交換器５１Ａ，５１Ｂ，５１Ｃで冷却されていない空気流で左庫内Ａ、中庫内Ｂ、右庫内Ｃの物品（商品）を暖めてしまうこともなく、圧縮機（インバータ圧縮機７１Ａ、一定速圧縮機７１Ｂ）の運転開始に同期して庫内ファン６１Ａ，６１Ｂ，６１Ｃの運転を開始した場合に比べて、庫内熱交換器５１Ａ，５１Ｂ，５１Ｃの温度を早く下げることができる。
【０１８６】
また、圧縮機（インバータ圧縮機７１Ａ、一定速圧縮機７１Ｂ）よりも所定の遅延時間だけ遅れて運転を開始した庫内ファン６１Ａ，６１Ｂ，６１Ｃは、圧縮機（インバータ圧縮機７１Ａ、一定速圧縮機７１Ｂ）が運転を開始してから所定時間経過するまでは通常の庫内ファン運転時の回転数よりも低く抑えるので、節電運転終了後の庫内ファン６１Ａ，６１Ｂ，６１Ｃの回転数を段階的に増加させる実施の形態２と同様の効果も有する。
【０１８７】
したがって、遅延時間を適切に設定することにより、節電運転による圧縮機（インバータ圧縮機７１Ａ、一定速圧縮機７１Ｂ）の長時間停止後に、庫内ファン６１Ａ，６１Ｂ，６１Ｃの運転で左庫内Ａ、中庫内Ｂ、右庫内Ｃの物品（商品）を暖めてしまう不具合の発生を抑えながら、庫内熱交換器５１Ａ，５１Ｂ，５１Ｃにおいて蒸発しきらない液冷媒が圧縮機（インバータ圧縮機７１Ａ、一定速圧縮機７１Ｂ）に戻って圧縮機（インバータ圧縮機７１Ａ、一定速圧縮機７１Ｂ）の寿命を縮めないようにする効果を、実施の形態２よりも高めることができる。
【０１８８】
なお、節電運転終了時に検出した庫内温度の代わりに（または、節電運転終了時に検出した庫内温度に加えて）、節電運転終了時に外気温度センサ１００（外気温検出手段）により検出した外気温、または、節電運転終了時に圧縮機停止時間計測手段１０７により計測した節電運転による圧縮機（インバータ圧縮機７１Ａ、一定速圧縮機７１Ｂ）の停止時間、または、節電運転終了時に庫内熱交換器温度検出手段（庫内熱交換器温度センサ１０１Ａ，１０１Ｂ，１０１Ｃ）により検出した庫内熱交換器５１Ａ，５１Ｂ，５１Ｃの温度を基に、節電運転終了により圧縮機（インバータ圧縮機７１Ａ、一定速圧縮機７１Ｂ）が運転を開始してから所定時間経過するまでの間の各庫内ファン６１Ａ，６１Ｂ，６１Ｃの回転数と、各庫内ファン６１Ａ，６１Ｂ，６１Ｃの回転数を通常運転時の回転数よりも低く抑える所定時間を設定しても構わない。
【０１８９】
なお、本実施の形態では、庫内ファン回転数設定手段１０４が、遅延時間だけ遅らせる庫内ファンの最初の回転数を０回転と設定することで、庫内ファンの運転開始を遅らせ、所定時間設定手段１０６が、遅延時間を設定するようにしたが、これに限らず、遅延時間の設定については所定時間設定手段１０６とは別の専用の遅延時間設定手段を設けても構わない。
【０１９０】
ところで、図２に示す冷凍サイクルでは、三方弁９４からキャピラリチューブ９３Ｃを経由して庫内熱交換器５１Ｃに冷媒が流れるようにした場合は、中庫内Ｂの庫内熱交換器５１Ｂには冷媒が流れないため、中庫内Ｂと右庫内Ｃのうち右庫内Ｃだけが冷却され、中庫内Ｂの庫内熱交換器５１Ｂにも冷媒が流れるように三方弁９４を切り替えた後は、中庫内Ｂの庫内熱交換器５１Ｂで熱交換された後の冷媒が右庫内Ｃの庫内熱交換器５１Ｃに流れる（中庫内Ｂの庫内熱交換器５１Ｂで蒸発しなかった液冷媒が右庫内Ｃの庫内熱交換器５１Ｃに流れる）ため、庫内熱交換器５１Ｃの冷却能力が低下する。
【０１９１】
そのため、中庫内Ｂの庫内ファン６１Ｂの運転開始を右庫内Ｃの庫内ファン６１Ｃよりも遅らせる場合は、節電運転終了により一定速圧縮機７１Ｂの運転と右庫内Ｃの庫内ファン６１Ｃの運転を開始する時に、三方弁９４からキャピラリチューブ９３Ｃを経由して庫内熱交換器５１Ｃに冷媒が流れるようにして、庫内熱交換器５１Ｃで右庫内Ｃを冷却し、右庫内Ｃの庫内ファン６１Ｃの運転開始から遅延時間だけ遅れて中庫内Ｂの庫内ファン６１Ｂの運転を開始する前に、中庫内Ｂの庫内熱交換器５１Ｂにも冷媒が流れるように三方弁９４を切り替える。
【０１９２】
このようにすると、最初、中庫内Ｂの庫内熱交換器５１Ｂに冷媒を流さない分、右庫内Ｃの庫内熱交換器５１Ｃに流れる液冷媒の割合を増やして庫内熱交換器５１Ｃの冷却能力
を高めて右庫内Ｃを早く冷却させることができ、また、中庫内Ｂの庫内熱交換器５１Ｂにも冷媒が流れるように三方弁９４を切り替えた後に庫内熱交換器５１Ｃの冷却能力が低下する分を考慮して庫内熱交換器５１Ｃで右庫内Ｃを充分に冷却しておくことができる。
【０１９３】
さらに、三方弁９４に液冷媒が流れるようになってから中庫内Ｂの庫内熱交換器５１Ｂにも冷媒が流れるように三方弁９４を切り替えると、庫内熱交換器５１Ｂに冷媒が流れ始めてから庫内熱交換器５１Ｂが冷媒の蒸発で充分に冷却されるまでの時間を短縮することができる。
【産業上の利用可能性】
【０１９４】
以上のように、本発明にかかる物品冷却装置は、圧縮機と庫内ファンを有する冷却装置の長時間停止後に、庫内ファンの運転で庫内の物品を暖めてしまう不具合の発生を抑えながら、庫内熱交換器において蒸発しきらない液冷媒が圧縮機に戻って圧縮機の寿命を縮めないようにすることができるので、飲料等の商品を冷却して販売する自動販売機に最適であるが、飲料自動販売機のような節電運転を行うものに限らず、圧縮機と庫内ファンを有する冷却装置を長時間停止することがあり得る家庭用冷蔵庫、業務用冷蔵庫、冷凍庫、冷蔵倉庫等の庫内を冷却する用途にも適用できる。
【符号の説明】
【０１９５】
２１  自動販売機
４１Ａ，４１Ｂ，４１Ｃ  庫内コラム内温度センサ
５１Ａ，５１Ｂ，５１Ｃ  庫内熱交換器
６１Ａ，６１Ｂ，６１Ｃ  庫内ファン
７１Ａ  インバータ圧縮機
７１Ｂ  一定速圧縮機
１００  外気温度センサ
１０１Ａ，１０１Ｂ，１０１Ｃ  庫内熱交換器温度センサ
１０３  運転制御手段
【図１】
0005899409.tif 000002
【図２】
0005899409.tif 000003
【図３】
0005899409.tif 000004
【図４】
0005899409.tif 000005
【図５】
0005899409.tif 000006
【図６】
0005899409.tif 000007
【図７】
0005899409.tif 000008
【図８】
0005899409.tif 000009
【図９】
0005899409.tif 000010
【図１０】
0005899409.tif 000011
【図１１】
0005899409.tif 000012